(57)【要約】【課題】  冷却ファンユニットを取り外した部分の開口を閉鎖して冷却効率の悪化を抑制することのできる空冷機構を提供することを課題とする。【解決手段】  複数の冷却ファンユニット１６が、装置筐体１２の下部に一列に整列して配置される。冷却ファンユニットの各々は、装置筐体１２に対して個別に挿抜可能である。冷却ファンユニット１６の列の両端の上方、及び冷却ファンユニット１６の間に相当する位置の上方に、板部材１８が設けられる。板部材１８は、冷却ファンユニット１６の上面に対して垂直で且つ冷却ファンユニット１６の挿抜方向に延在する。板部材１８は下端部を中心に両側に回動可能に支持される。【選択図】  図３
2012114379.tif 000002
【特許請求の範囲】
【請求項１】
装置筐体の下部に一列に整列して配置され、各々が前記装置筐体に対して個別に挿抜可能な複数の冷却ファンユニットと、
前記冷却ファンユニットの列の両端の上方、及び前記冷却ファンユニットの間に相当する位置の上方に設けられ、前記冷却ファンユニットの上面に対して垂直で且つ前記冷却ファンユニットの前記装置筐体に対する挿抜方向に延在する板部材と
を有し、
前記板部材は下端部を中心に両側に回動可能に支持される空冷機構。
【請求項２】
請求項１記載の空冷機構であって、
前記板部材の幅は前記冷却ファンユニットの幅の半分であり、
前記複数の冷却ファンユニットのうちの１つの両端に設けられた２枚の前記板部材の両方は下端部を中心に９０度回動し、前記冷却ファンユニットのうちの前記１つが前記装置筐体から抜き取られてできる開口を閉鎖する空冷機構。
【請求項３】
請求項１記載の空冷機構であって、
前記板部材の幅は前記冷却ファンユニットの幅の半分より大きく、
前記冷却ファンユニットのうちの１つの両端に設けられた２枚の前記板部材の両方は下端部を中心に回動し、前記２枚の板部材が傾斜した状態でその上端部が当接又は近接することで前記冷却ファンユニットのうちの前記１つが前記装置筐体から抜き取られてできる開口を閉鎖する空冷機構。
【請求項４】
請求項１乃至３のうちいずれか一項記載の空冷機構であって、
前記冷却ファンユニットの挿抜動作に連動して前記板部材を回動させる自動回動機構をさらに有する空冷機構。
【請求項５】
請求項１乃至３のうちいずれか一項記載の空冷機構であって、
前記板部材を回動可能に支持し、且つ前記板部材が垂直になる位置に固定する支持固定機構をさらに有する空冷機構。
【発明の詳細な説明】
【技術分野】
【０００１】
実施形態は、空気流を供給して対象物を冷却する空冷機構に関する。
【背景技術】
【０００２】
サーバ装置等の電子装置あるいは情報処理装置において、筐体内に多数のプラグインユニット（基板）を収容した装置がある。プラグインユニットに搭載された電子部品は動作する際に発熱するため、冷却ファンを有する空冷機構によりプラグインユニットを空冷することが多い。
【０００３】
一般的に、空冷機構は複数の冷却ファンユニットを含み、複数のプラグインユニットが収容された部分の下側に配置される。複数の冷却ファンユニットを作動させて、プラグインユニットの下側から空気流をプラグインユニットに向けて供給することで、プラグインユニットを冷却することができる。このような空冷機構において、複数の冷却ファンユニットは装置の下部に整列して配置される。各冷却ファンユニットは装置の筐体から個別に取り外すことができる。
【０００４】
空冷機構の複数の冷却ファンユニットのうち、例えば１つの冷却ファンユニットが故障したような場合、故障した冷却ファンユニットを修理するために、故障した冷却ファンユニットのみを装置の筐体から取り外すことがある。この場合、冷却ファンユニットを取り外した位置は開口となってしまい、この開口から空気流が筐体の外部に漏れてしまうおそれがある。例えば、故障した冷却ファンユニットに隣接した冷却ファンユニットからの空気流が斜めに流れて、故障した冷却ファンユニットに対応するプラグインユニットの方向に流れたとしても、取り外された冷却ファンユニットの位置に開口があるため、空気流の一部はプラグインユニットにより反射されて当該開口から筐体の外に出てしまうおそれがある。この場合、冷却ファンユニットの空気流が効率的にプラグインユニットの周囲に流れないため、故障した冷却ファンユニットで冷却していたプラグインユニットの冷却効率が下がり、プラグインユニットが過熱するおそれがある。
【０００５】
そこで、複数の空冷ファンを備えた電子機器において、１つの冷却ファンが停止した場合に、冷却効率を損ないにくい空冷機構が提案されている（例えば、特許文献１参照。）。この空冷機構では、複数の冷却ファンの各々の外側に遮蔽板が設けられ、停止した冷却ファンに設けられた遮蔽板を閉めることで、停止した冷却ファンから空気流が漏れ出ることを防止する。
【先行技術文献】
【特許文献】
【０００６】
【特許文献１】特開２００６−２６１２７６号公報
【発明の概要】
【発明が解決しようとする課題】
【０００７】
特許文献１に開示された遮蔽板は、冷却ファンの外側で冷却ファンの開口部を閉鎖するように設けられている。したがって、冷却ファンを装置から取り外した場合、遮蔽板も一緒に取り外されてしまい、冷却ファンを取り外したことによりできる開口を塞ぐことはできない。このため、冷却ファンを取り外したことによりできる開口から空気流が漏れ出ることは防止できず、装置の冷却効率が悪くなることを防止することはできない。
【課題を解決するための手段】
【０００８】
一実施形態によれば、装置筐体の下部に一列に整列して配置され、各々が前記装置筐体に対して個別に挿抜可能な複数の冷却ファンユニットと、前記冷却ファンユニットの列の両端の上方、及び前記冷却ファンユニットの間に相当する位置の上方に設けられ、前記冷却ファンユニットの上面に対して垂直で且つ前記冷却ファンユニットの前記装置筐体に対する挿抜方向に延在する板部材とを有し、前記板部材は下端部を中心に両側に回動可能に支持される空冷機構が提供される。
【発明の効果】
【０００９】
装置筐体から冷却ファンユニットを取り外した部分の開口が、自動的に板部材により閉鎖されるため、１つの冷却ファンユニットを取り外しても、他の冷却ファンからの空気流が漏れ出ることがなく、冷却効率の悪化を抑制することができる。
【図面の簡単な説明】
【００１０】
【図１】第１実施形態による空冷機構が設けられた装置の正面図である。
【図２】図１のＩＩ−ＩＩ線に沿った断面図である。
【図３】図１に示す装置において、１つの冷却ファンユニットが筐体から取り外された状態を示す正面図である。
【図４】図３のＩＶ−ＩＶ線に沿った断面図である。
【図５】第２実施形態による空冷機構が設けられた装置の正面図である。
【図６】図５のＶＩ−ＶＩ線に沿った断面図である。
【図７】図５に示す装置において、１つの冷却ファンユニットが筐体から取り外された状態を示す正面図である。
【図８】図７のＶＩＩＩ−ＶＩＩＩ線に沿った断面図である。
【図９】左右両端に位置する風向板が上端を中心に回動して下端が持ち上がるようにした構造を有する装置の正面図である。
【図１０】図９に示す装置の側面図である。
【図１１】第２実施形態による空冷機構が組み込まれた装置の正面図である。
【図１２】図１１に示す装置の下部の側面図である。
【図１３】冷却ファンユニットの１つが抜き取られた状態の装置の正面図である。
【図１４】図１３に示す装置の下部の側面図である。
【図１５】図１１に示す装置の一部の拡大図である。
【図１６】図１３に示す装置の一部の拡大図である。
【図１７】風向板の回動に連動した案内板の移動を説明するための図である。
【図１８】風向板の回動に連動した案内板の移動を説明するための図である。
【図１９】風向板の回動に連動した案内板の移動を説明するための図である。
【図２０】風向板が垂直に位置しているときの自動回動機構を示す断面図である。
【図２１】風向板が垂直に位置しているときの自動回動機構を示す側面図である。
【図２２】風向板が傾斜しているときの自動回動機構を示す側面図である。
【図２３】風向板が傾斜しているときの自動回動機構を示す断面図である。
【図２４】風向板を手動で操作する機構の一例を説明するための図である。
【図２５】風向板を手動で操作する機構の他の例を説明するための図である。
【図２６】風向板を手動で操作する機構のさらに他の例を説明するための図である。
【図２７】図２６に示す機構において、風向板の回転位置を固定した状態を示す図である。
【発明を実施するための形態】
【００１１】
次に、実施形態について図面を参照しながら説明する。
【００１２】
図１は第１実施形態による空冷機構が設けられた装置の正面図であり、前面パネルが取り除かれて装置内部が見えている状態が示されている。図２は図１のＩＩ−ＩＩ線に沿った断面図である。
【００１３】
図１に示す装置１０の筐体１２の内部には、複数のプラグインユニット１４−１〜１４−９が収容される。筐体１２の底部には、複数の冷却ファンユニット１６−１〜１６−３が収容される。以下、プラグインユニット１４−１〜１４−９を総称してプラグインユニット１４と称することもある。また、冷却ファンユニット１６−１〜１６−３を総称して冷却ファンユニット１６と称することもある。
【００１４】
本実施形態では、冷却ファンユニット１６とプラグインユニット１４の間に仕切板１８−１〜１８−４が設けられる。仕切板１８−１〜１８−４の各々は、板状の部材であり、冷却ファンユニットの両端に対応する位置に設けられる。仕切板１８−１〜１８−４の各々は、その下端部を中心に回動可能である。以下、仕切板１８−１〜１８−４を総称して仕切板１８と称することもある。
【００１５】
冷却ファンユニット１６が筐体１２に組み込まれているときには、図１に示すように、仕切板１８は冷却ファンユニット１６に対して垂直方向に延在している。したがって、冷却ファンユニット１６が作動して発生した上向きの空気流は、仕切板１８が配置された空間を通過してプラグインユニット１４に流れることができる。この空気流によりプラグインユニット１４は冷却される。
【００１６】
図３は、図１に示す装置１０において、１つの冷却ファンユニット１６（冷却ファンユニット１６−３）が筐体１２から取り外された状態を示す正面図である。図４は図３のＩＶ−ＩＶ線に沿った断面図である。
【００１７】
仕切板１８は上述のように下端部を中心に回動可能である。冷却ファンユニット１６を筐体１２から取り外したら、取り外した冷却ファンユニット１６の両端に配置されている仕切板１８を内側に倒すことにより、プラグインユニット１４を取り外したことにより形成された開口を閉鎖することができる。図３において、冷却ファンユニット１６−３が取り外され、その両端の仕切板１８−３，１８−４が内側に倒されて開口を閉鎖した状態が示されている。仕切板１８−３，１８−４の長さは、冷却ファンユニット１６の長さの約半分となっており、仕切板１８−３，１８−４の両方が内側に９０度倒れた位置で、開口が塞がれた状態となる。
【００１８】
冷却ファンユニット１６を取り外す前、又は取り外した後に、仕切板１８を手動で回動させてもよいが、仕切板１８の回動動作を冷却ファンユニット１６の筐体１２への取り付け取り外し動作に連動するようにしてもよい。すなわち、冷却ファンユニット１６を筐体１２に取り付けたときには、冷却ファンユニット１６により押されて仕切板１８が垂直になるようにし、冷却ファンユニット１６を筐体１２から取り外したときに、仕切板１８が自動的に内側に回動して倒れるような機構を設けることが好ましい。そのような機構の具体的な例については後述する。
【００１９】
図３に示すように、冷却ファンユニット１６−３を取り外したときにできる開口を仕切板１８−３，１８−４で塞ぐことにより、冷却ファンユニット１６−２からの空気流が当該開口から筐体１２の外側に漏れることが防止される。これにより、冷却ファンユニット１６−２からの空気流の一部は、開口を経て筐体１２の外に漏れ出ることがなく、効率的にプラグインユニット１４−７〜１４−９に流れるようになる。したがって、冷却ファンユニット１６−３を取り外した状態でも、プラグインユニット１４−７〜１４−９をある程度冷却した状態に維持することができる。
【００２０】
上記と同様に、冷却ファンユニット１６−１を取り外した場合は、仕切板１８−１，１８−２が内側に倒れて開口を閉鎖し、冷却ファンユニット１６−２を取り外した場合は、仕切板１８−２，１８−３が内側に倒れて開口を閉鎖する。
【００２１】
以上のように、本実施形態による空冷機構は、取り外し可能な冷却ファンユニット１６と、開口を塞ぐための仕切板１８とを含むものである。
【００２２】
図５は第２実施形態による空冷機構が設けられた装置の正面図であり、前面パネルが取り除かれて装置内部が見えている状態が示されている。図６は図５のＶＩ−ＶＩ線に沿った断面図である。図５及び図６において、図１に示す構成部品と同等な部品には同じ符号を付し、その説明は省略する。
【００２３】
第２実施形態による空冷機構の基本的構成は第１実施形態による空冷機構と同じであるが、本実施形態では、仕切板１８−１〜１８−４が風向板２０−１〜２０−４に置き換えられた点が異なる。以下、風向板２０−１〜２０−４を総称して風向板２０と称することもある。
【００２４】
風向板２０は、仕切板１８と同様に、その下端部を中心として回動可能に設けられる。風向板２０の長さは、仕切板１８の長さよりも僅かに長い。このため、図７に示すように、冷却ファンユニット１６−３が取り外されて、風向板２０−３，２０−４が内側に倒されると、風向板２０−３，２０−４は９０度倒れずに、例えば６０度だけ回動し、ハの字型となって開口を塞いだ状態となる。風向板２０の倒れる角度は、風向板２０の長さによって決まる。
【００２５】
図７に示すように風向板２０−３，２０−４が開口を閉鎖している状態で、風向板２０−３は水平となるまで回動せずに、傾いた状態で停止している。このような状態では、作動している冷却ファンユニット１６−２からの空気流の一部は、図７の矢印で示すように風向板２０−３に沿って流れ、プラグインユニット１４−７〜１４−９に向かって流れる。すなわち、冷却ファンユニット１６−２からの空気流の一部を、傾斜した風向板２０−３によりプラグインユニット１４−７〜１４−９に向かう方向に案内し誘導することができる。したがって、取り外された冷却ファンユニット１６−３からの空気流により冷却されていたプラグインユニット１４−７〜１４−９を、冷却ファンユニット１６−２からの空気流の一部で冷却することができる。これにより、冷却ファンユニット１６−３を取り外した状態でも、プラグインユニット１４−７〜１４−９をある程度冷却することができ、プラグインユニット１４−７〜１４−９の過熱を抑制することができる。
【００２６】
上記と同様に、冷却ファンユニット１６−１を取り外した場合は、風向板２０−１，２０−２が内側に倒されて開口が閉鎖され、風向板２０−２により冷却ファンユニット１６−２からの空気流の一部が風向板２０−２により誘導されてプラグインユニット１４−１〜１４−３に向かって流れる。また、冷却ファンユニット１６−２を取り外した場合は、風向板２０−２，２０−３が内側に倒されて開口が閉鎖され、風向板２０−２，２０−３により冷却ファンユニット１６−１，１６−３からの空気流の一部が風向板２０−２，２０−３により誘導されてプラグインユニット１４−４〜１４−６に向かって流れる。
【００２７】
以上のように、本実施形態による空冷機構は、取り外し可能な冷却ファンユニット１６と、開口を閉鎖し且つ空気流を案内し誘導するための風向板２０とを含むものである。
【００２８】
図５乃至図８に示す例では、左右両端に位置する風向板２０が内側に倒れる構造であるが、左右両端に位置する風向板２０を、上端を中心に回動して下端が持ち上がるようにしてもよい。図９は、左右両端に位置する風向板２０が上端を中心に回動して下端が持ち上がるようにした構造の装置を示す正面図である。図１０は図９に示す装置の側面図であり、内部を透視した状態が示されている。
【００２９】
図９において、右端にある風向板２０−４は、その上端を中心に回動し、風向板２０−３と一直線になった位置で固定される。これにより、冷却ファンユニット１６−３が取り外されてできた開口は、冷却ファンユニット１６−２の右端から斜めに延在する風向板２０−３とその先端から同じ方向に延在する風向板２０−４とにより閉鎖される。したがって、冷却ファンユニット１６−２からの空気流の一部は、風向板２０−３により案内され誘導され、さらに風向板２０−４により案内され誘導されてプラグインユニット１４−７〜１４−９に向かって流れる。特に、風向板２０−４を風向板２０−３の延長方向に延在させることは、最も右端側のプラグインユニット１４−９に対して空気流を誘導することができるという効果を有している。
【００３０】
次に、上述の第２実施形態による空冷機構の具体的な実施例について説明する。
【００３１】
図１１は第２実施形態による空冷機構が組み込まれた装置３０の正面図であり、前面パネルが取り除かれて内部が見えている状態が示されている。図１２は図１１に示す装置３０の下部の側面図であり、内部を透視した状態が示されている。
【００３２】
装置３０は例えば光通信装置のような、内部に多数の基板を収容するような装置であり、筐体３２内に基板を含むプラグインユニット３４が整列して収容されている。図１１に示す例では１６個のプラグインユニット３４が筐体３２内に整列して収容されている。プラグインユニット３４の下側には、所定の空間を隔てて冷却ファンユニット３６−１〜３６−４が整列して配置されている。冷却ファンユニット３６−１〜３６−４は空気流を上方のプラグインユニット３４に向けて流して冷却ファンユニット３６−１〜３６−４を冷却する。冷却ファンユニット３６−１〜３６−４からの空気流はプラグインユニット３４に沿って流れて筐体３２の上方に抜けるようになっている。以下、冷却ファンユニット３６−１〜３６−４を総称してファンユニット３６と称することもある。
【００３３】
冷却ファンユニット３６は、各々個別に筐体３２の下部に取り付けられる。すなわち、冷却ファンユニット３６は筐体３２に対して個別に前面側から挿抜可能である。したがって、例えば冷却ファンユニット３６のうちの１つが故障した場合、その故障した冷却ファンユニット３６のみを筐体３２から抜き取って修理するか、あるいは交換することができる。
【００３４】
プラグインユニット３４の下側で、冷却ファンユニット３６の上側の空間には、風向板４０−１〜４０−５が配置されている。風向板４０−１は、最も左側の冷却ファンユニット３６−１の左端部の上方に配置され、冷却ファンユニット３６−１の上面に向かって倒れる方向に回動可能に支持されている。風向板４０−２は、冷却ファンユニット３６−１と冷却ファンユニット３６−２が接している部分の上方に配置され、冷却ファンユニット３６−１の上面に向かって倒れる方向、及び冷却ファンユニット３６−２の上面に向かって倒れる方向の両方向に回動可能に支持されている。風向板４０−３は、冷却ファンユニット３６−２と冷却ファンユニット３６−３が接している部分の上方に配置され、冷却ファンユニット３６−２の上面に向かって倒れる方向、及び冷却ファンユニット３６−３の上面に向かって倒れる方向の両方向に回動可能に支持されている。風向板４０−４は、冷却ファンユニット３６−３と冷却ファンユニット３６−４が接している部分の上方に配置され、冷却ファンユニット３６−３の上面に向かって倒れる方向、及び冷却ファンユニット３６−４の上面に向かって倒れる方向の両方向に回動可能に支持されている。風向板４０−５は、最も右側の冷却ファンユニット３６−４の右端部の上方に配置され、冷却ファンユニット３６−４の上面に向かって倒れる方向に回動可能に支持されている。以下、風向板４０−１〜４０−５を総称して風向板４０と称することもある。
【００３５】
冷却ファンユニット３６とプラグインユニット３４との間の空間に、ストッパピン４２−１〜４２−８が設けられる。ストッパピン４２−１〜４２−８は、筐体３２の後側と前側の間に延在するように設けられた細長い棒状の部材である。風向板４０−１〜４０−５が倒されると、風向板４０−１〜４０−５は対応するストッパピン４２−１〜４２−８に当接して、その傾斜した位置に維持される。以下、ストッパピン４２−１〜４２−８を総称してストッパピン４２と称することもある。
【００３６】
本実施例では、風向板４０−２〜４０−４は単なる板状の部材であり、その幅は冷却ファンユニット３６の幅より僅かに大きい。例えば、冷却ファンユニット３６−２が筐体３２から抜き取られて取り外された場合、風向板４０−２が冷却ファンユニット３６−２の上面側に倒され、且つ風向板４０−３も冷却ファンユニット３６−２の上面側に倒される。このとき、風向板４０−２はストッパピン４２−３に当接して傾斜した状態に維持され、風向板４０−３はストッパピン４２−４に当接して傾斜した状態に維持される。この状態では、風向板４０−２と風向板４０−３とは向かいあってハの字形を形成し、冷却ファンユニット３６−２が抜き取られてできた開口を塞ぐこととなる。
【００３７】
したがって、冷却ファンユニット３６−１からの空気流の一部は、傾斜して開口の半分側を塞いでいる風向板４０−２に沿って流れ、それまで冷却ファンユニット３６−２の空気流で冷却されていたプラグインユニット３４に供給されるように案内され誘導される。また、冷却ファンユニット３６−３からの空気流の一部は、傾斜して開口の半分側を塞いでいる風向板４０−３に沿って流れ、それまで冷却ファンユニット３６−２の空気流で冷却されていたプラグインユニット３４に供給されるように案内され誘導される。
【００３８】
一方、両端の風向板４０−１，４０−５は単なる板状の部材ではなく、風向板４０−２〜４０−４と同様な板状の部材の上端にさらに２枚の板状の部材が接続されている。図１３は、冷却ファンユニット３６−４が抜き取られた状態を示す装置３０の正面図であり、前面パネルが取り除かれて内部が見えている状態が示されている。図１４は冷却ファンユニット３６−４が抜き取られた状態の装置３０の下部の側面図であり、内部を透視した状態が示されている。
【００３９】
冷却ファンユニット３６−４が筐体３２から抜き取られた際、冷却ファンユニット３６−４の移動に連動して風向板４０−４及び風向板４０−５が自動的に冷却ファンユニット３６−４があった位置に向けて、その下端を中心に回動する。そして、風向板４０−４はストッパピン４２−７に当接して停止し、風向板４０−５はストッパピン４２−８に当接して停止する。これにより、冷却ファンユニット３６−４が筐体３２から抜き取られてできた開口は、風向板４０−４，４０−５により閉鎖される。冷却ファンユニット３６の抜き取り動作に連動して風向板４０を回動させる機構については後述する。
【００４０】
風向板４０−５の上端には、案内板４４−１が回動可能に取り付けられ、案内板４４−１の先端に案内板４４−２が回動可能に取り付けられている。風向板４０−５が垂直方向に延在しているときは、図１５に示すように、案内板４４−１と案内板４４−２は折り畳まれた状態で風向板４０−５に沿って延在している。また、案内板４４−２の上端は筐体３２の側壁に回動可能に取り付けられている。
【００４１】
ここで、風向板４０−５が回動して冷却ファンユニット３６−４があった方向に倒れると、案内板４４−１の上端が風向板４０−５の回動とともに移動する。このため、図１６に示すように、案内板４４−１と案内板４４−２とが風向板４０−５により引っ張られて一直線になる。したがって、案内板４４−１と案内板４４−２とが一枚の板のようになる。また、案内板４４−１の先端（風向板４０−５の上端に回動可能に支持された先端）は、傾斜した隣の風向板４０−４の上端に当接するか、あるいは近接した状態となる。これにより、風向板４０−４に沿って流れてきた、冷却ファンユニット３６−３からの空気流は案内板４４−１及び案内板４４−２に沿って流れる。したがって、案内板４４−１及び案内板４４−２の上側に位置するプラグインユニット３４にも空気流を導いて誘導することができ、案内板４４−１及び案内板４４−２が無いときに比べて、筐体３２の側壁に近い位置に収容されているプラグインユニット３４にも効率的に空気流を供給して冷却することができる。
【００４２】
図１７，図１８，図１９は、風向板４０−５の回動に伴う案内板４４−１及び案内板４４−２の移動を示す図である。図１７は風向板４０−５が垂直に起立した状態を示しており、案内板４４−１は風向板４０−５に沿って垂直に延在し、案内板４４−２は案内板４４−１に沿って垂直に延在している。なお、案内板４４−１と案内板４４−２とは、図１７における下端部で互いに回動可能に接続されている。また、案内板４４−１の上端は風向板４０−５に回動可能に固定され、案内板４４−２の上端は筐体３２に固定されて移動できないようになっている。
【００４３】
そこで、風向板４０−５が回動して傾斜すると、図１８に示すように、案内板４４−１と案内板４４−２は、その下端部を中心にして上端部が開くように移動する。そして、風向板４０−５がストッパピン４２−８に当接するまで傾斜すると、図１９に示すように、案内板４４−１と案内板４４−２は１直線に整列した状態となる。ここで、案内板４４−１と案内板４４−２とが回動可能に接続された部分において、回動の中心は案内板４４−１の末端部分であるが、案内板４４−２ではその末端から僅かに内側にずれた位置にある。したがって、図１９において、案内板４４−２の末端の部分４４−２ａが案内板４４−１と重なることとなる。これにより、案内板４４−１と案内板４４−２とは、一直線に整列した後はそれ以上回動できなくなり、案内板４４−１と案内板４４−２との接続部分が回動し過ぎて案内板４４−１と案内板４４−２とが逆側に折れ曲がる状態となることを防止している。
【００４４】
次に、冷却ファンユニット３６の抜き取り動作に連動して風向板４０を回動させるための自動回動機構について説明する。
【００４５】
図２０は自動回動機構を示す断面図であり、図２１は自動回動機構の側面図である。自動回動機構は、風向板４０の下端に取り付けられて、風向板４０を支持する支持部材５０と、支持部材５０を両側から支持する板バネ５２−１，５２−２を有する。支持部材５０は、断面が三角形の部材であり、三角形の一辺から垂直に風向板４０が延在するように風向板４０に取り付けられる。支持部材５０の三角形の一辺に対向する頂点部分に回転軸５０ａが取り付けられている。回転軸５０ａは摩耗が少ないように硬度の高い材料で形成される。
【００４６】
支持部材５０は、その回転軸５０ａが、筐体３２の一部で冷却ファンユニット３６が収容される部分を形成するための隔離壁３２ａの上端に当接した状態で支持される。この状態では支持部材５０は回転軸５０ａを中心として左右に回動可能で固定されていないため、支持部材５０両側（三角形の２辺）に板バネ５２−１，５２−２を当接させることで、支持部材５０（すなわち風向板４０）を垂直な状態に維持する。
【００４７】
板バネ５２−１，５２−２は、支持部材５０の傾斜面５０ｂ，５０ｃ（三角形の辺に相当）に当接することで容易に変形可能なバネ材により形成される。板バネ５２−１，５２−２は、冷却ファンユニット３６を収容する空間を形成する天板３２ｂと隔離壁３２ａとの間に形成された間隙を延在し、その先端部分が支持部材５０の傾斜面５０ｂ，５０ｃにそれぞれ当接する。冷却ファンユニット３６を収容する空間を形成する天板３２ｂと隔離壁３２ａとの間の間隙の幅は、板バネ５２−１，５２−２の厚みとほぼ同じである。これにより、天板３２ｂと隔離壁３２ａとにより挟まれた板バネ５２−１，５２−２の部分は垂直方向に延在するように支持される。
【００４８】
板バネ５２−１，５２−２は水平に延在する基部５２−１ａ，５２−２１ａを有している。基部５２−１，５２−２には、天板３２ｂの貫通孔を貫通して天板３２ｂの上側から延在するピン５４−１，５４−２の先端が固定される。天板３２ｂと基部５２−１，５２−２との間で、ピン５４−１，５４−２の周囲にコイルバネ５６−１，５６−２が設けられる。コイルバネ５６−１，５６−２は、基部５２−１ａ，５２−２ａを下方に付勢する。図２０には冷却ファンユニット３６が挿入されている状態が示さており、基部５２−１ａ，５２−２ａは冷却ファンユニット３６の上面で押し上げられて上昇した位置にある。基部５２−１ａ，５２−２ａが押し上げられることで、板バネ５２−１，５２−２が上方に移動し、板バネ５２−１，５２−２の上端付近が外側に開いて弾性変形して支持部材５０の傾斜面５０ｂ，５０ｃに当接している。これにより、上述のように支持部材５０（すなわち風向板４０）は垂直に延在するように支持される。
【００４９】
図２０に示されるように、支持部材５０の傾斜面５０ｃ側の冷却ファンユニット３６が筐体３２に挿入され収容されると、板バネ５２−２の基部５２−２ａは、冷却ファンユニット３６の上面３６ａに当接して持ち上げられる。これにより板バネ５２−２が上昇して支持部材５０の傾斜面５０ｃに当接し、支持部材５０の傾斜面５０ｃを押圧する。また、支持部材５０の傾斜面５０ｂ側の冷却ファンユニット３６が筐体３２に挿入され収容されると、板バネ５２−２の基部５２−２ａは、冷却ファンユニット３６の上面３６ａに当接して持ち上げられる。これにより板バネ５２−２が上昇して支持部材５６の傾斜面５０ｃに当接し、支持部材５０の傾斜面５０ｃを押圧する。
【００５０】
したがって、支持部材５０の傾斜面５０ｂ側及び傾斜面５０ｃ側の両方の冷却ファンユニット３６が挿入されている状態では、傾斜面５０ｂを板バネ５２−1が押圧すると同時に、傾斜面５０ｃを板バネ５２−２が押圧するので、支持部材５０はどちらにも倒れずに垂直方向に延在するように維持される。
【００５１】
ここで、図２２に示すように支持部材５０の傾斜面５０ｃ側の冷却ファンユニット３６が抜き取られると基部５２−２ａが冷却ファンユニット３６の上面３６ａから外れる。これにより、板バネ５２−２は基部５２−２ａに加わるコイルバネ５６−２の付勢力により下方に移動される。したがって、支持部材５０の傾斜面５０ｃを押していた板バネ５２−２が下降して傾斜面５０ｃへの押圧力が無くなるため、支持部材５０は図２３に示すように傾斜面５０ｃ側に倒れることができる。このとき、支持部材５０の傾斜面５０ｂには弾性変形している板バネ５２−１が当接しているため、傾斜面５０ｂは板バネ５２−１の戻る力により傾斜面５０ｃ側に押され、支持部材５０（すなわち風向板４０）は傾斜面５０ｃ側に倒されることとなる。
【００５２】
なお、冷却ファンユニット３６の上面の後端には斜面３６ｂが設けられ、冷却ファンユニット３６が挿入されるときに基部５２−２ａが上面に乗り上げ易くなっている。
【００５３】
以上のような自動回動機構により、冷却ファンユニット３６を抜き取る動作に連動して風向板４０を回動させて、冷却ファンユニット３６が抜かれた後の開口を自動的に閉鎖することができると共に、冷却ファンユニット３６を挿入することで、風向板４０を回動させて垂直な位置に戻すことができる。
【００５４】
次に、風向板４０を自動ではなく、手動で倒したり戻したりする支持固定機構について説明する。
【００５５】
まず、図２４に示す例では、風向板４０の下端に扇形の回動板４０ａを取り付け、風向板４０が回動すると回動板４０ａも回動するようにしておく。そして冷却ファンユニット３６の前面３６ａにバネ式ボタン６０を取り付け、バネ式ボタン６０を回動板４０ａの左右の直線部に当接させて係合させることで、風向板４０が垂直となる位置に回動板４０ａを固定する。
【００５６】
バネ式ボタン６０は、バネにより押圧されて冷却ファンユニット３６の前面３６ａから突出しているが、バネ式ボタン６０を押して前面３６ａの中に押し込むことで、回動板４０ａとの係合が解除される。これにより、押し込んだバネ式ボタン６０とは反対の方向に回動板４０ａを回動させ、風向板４０を傾斜させることができる。風向板４０を傾斜させている間は、バネ式ボタン６０は回動板４０ａにより押されて押し込まれた状態に維持されている。風向板４０の傾斜を戻して垂直にすると、バネ式ボタン６０はバネの力により自動的に突出し、回動板４０ａの直線部に再び係合することができる。
【００５７】
したがって、操作者は、冷却ファンユニット３６を抜き取るときに、まず抜き取る冷却ファンユニット３６の両側の冷却ファンユニット３６のバネ式ボタン６０を押し込んで、両側の風向板４０を傾斜させてからでないと、冷却ファンユニット３６を抜き取ることが出来ない。これにより、冷却ファンユニット３６を抜き取る際には、必ず開口が閉鎖されることとなる。
【００５８】
以上の例では、冷却ファンユニット３６にバネ式ボタン６０を設けなければならないが、冷却ファンユニット３６に加工を加えないようにすることもできる。図２５に示す例では、冷却ファン３６にバネ式ボタン６０を設けず、回動板４０ａを筐体３２に対してネジ止めすることで、回動板４０ａを固定する。すなわち、回動板４０ａの中央に貫通孔を設けておき、当該貫通孔を貫通したネジ６２を筐体３２の隔離壁３２ａ等に設けたネジ孔にねじ込んで風向板４０が垂直になるように回動板４０ａを固定する。
【００５９】
したがって、操作者は、冷却ファンユニット３６を抜き取るときに、まず抜き取る冷却ファンユニット３６の両側の回動板４０ａを固定しているネジ６２を取り外して両側の風向板４０を傾斜させてからでないと、冷却ファンユニット３６を抜き取ることが出来ない。これにより、冷却ファンユニット３６を抜き取る際には、必ず開口が閉鎖されることとなる。
【００６０】
以上の他に、支持固定機構として様々な機構を考えることができる。例えば、図２６に示す例では、風向板４０の回転軸を２重構造としておき、回転軸に設けたストッパを筐体３２の複数の凹部のいずれかに係合させることで、風向板４０をストッパに対応した位置に固定する。回転軸の外側軸４０ｂは、内側軸４０ｃに対して回転可能であり、外側軸４０ｂに対して風向板４０とストッパ４０ｄが固定される。また、外側軸４０ｂは内側軸４０ｃに対して軸方向に移動可能である。
【００６１】
内側軸４０ｃが取り付けられた筐体３２の壁面には図２６（ｃ）に示すような平面形状の凹部６４が形成されている。凹部６４の円形の部分は、風向板４０の外側軸４０ｂが係合する部分であり、円形の部分から延出する３つの長方形の切欠部６４ａ，６４ｂ，６４ｃはストッパ４０ｄが係合する部分である。すなわち、ストッパ４０ｄが凹部６４の切欠部６４ｂに挿入されるように、風向板４０の外側軸４０ｂが凹部６４の円形の部分に挿入され係合されたときには、図２７（ａ）に示すように、風向板４０は垂直な位置に固定される。また、ストッパ４０ｄが凹部６４の切欠部６４ａ又は６４ｃに挿入されるように、風向板４０の外側軸４０ｂが凹部６４の円形の部分に挿入され係合されたときには、図２７（ｂ）に示すように、風向板４０は傾斜した位置に固定される。
【００６２】
操作者は、回動板４０ａを手前に引っ張ることで、ストッパ４０ｄを切欠部６４ａ，６４ｂ，６４ｃから外すことができ、回動板４０ａを回動させることで外側軸４０ｂを回転ンさせ、所望の位置にストッパ４０ｄを移動してから外側軸４０ｂを押し込むことで、風向板４０を垂直位置、あるいは傾斜位置に固定することができる。外側軸４０ｂをバネ等で凹部６４の方向に付勢しておくこととしてもよい。
【００６３】
以上のように、本明細書は以下の事項を開示する。
（付記１）
装置筐体の下部に一列に整列して配置され、各々が前記装置筐体に対して個別に挿抜可能な複数の冷却ファンユニットと、
前記冷却ファンユニットの列の両端の上方、及び前記冷却ファンユニットの間に相当する位置の上方に設けられ、前記冷却ファンユニットの上面に対して垂直で且つ前記冷却ファンユニットの前記装置筐体に対する挿抜方向に延在する板部材と
を有し、
前記板部材は下端部を中心に両側に回動可能に支持される空冷機構。
（付記２）
付記１記載の空冷機構であって、
前記板部材の幅は前記冷却ファンユニットの幅の半分であり、
前記複数の冷却ファンユニットのうちの１つの両端に設けられた２枚の前記板部材の両方は下端部を中心に９０度回動し、前記冷却ファンユニットのうちの前記１つが前記装置筐体から抜き取られてできる開口を閉鎖する空冷機構。
（付記３）
付記１記載の空冷機構であって、
前記板部材の幅は前記冷却ファンユニットの幅の半分より大きく、
前記冷却ファンユニットのうちの１つの両端に設けられた２枚の前記板部材の両方は下端部を中心に回動し、前記２枚の板部材が傾斜した状態でその上端部が当接又は近接することで前記冷却ファンユニットのうちの前記１つが前記装置筐体から抜き取られてできる開口を閉鎖する空冷機構。
（付記４）
付記１乃至３のうちいずれか一項記載の空冷機構であって、
前記冷却ファンユニットの挿抜動作に連動して前記板部材を回動させる自動回動機構をさらに有する空冷機構。
（付記５）
付記４記載の空冷機構であって、
前記自動回動機構は、
断面が三角形であって、三角形の頂点を下に向けて前記板部材の下端に取り付けられた支持部材と、
該支持部材を両側から支持し、前記冷却ファンユニットの挿抜動作に連動して上下する一対の板バネと
を有する空冷機構。
（付記６）
前記板バネは、前記支持部材の傾斜面に押し付けられて弾性変形する空冷機構。
（付記７）
付記１乃至３のうちいずれか一項記載の空冷機構であって、
前記板部材を回動可能に支持し、且つ前記板部材が垂直になる位置に固定する支持固定機構をさらに有する空冷機構。
（付記８）
付記７記載の空冷機構であって、
前記支持固定機構は、
前記板部材の下端部に取り付けられた扇形の回動板と、
前記冷却ファンユニットの前面に設けられ、前記板部材が垂直に延在する位置において前記回動板の２つの直線部にそれぞれが当接する突起と
を有し、
前記突起は押圧することで弾性的に変位する空冷機構。
（付記９）
付記７記載の空冷機構であって、
前記支持固定機構は、
前記板部材の下端部に取り付けられた扇形の回動板と、
前記回動板に設けられた貫通孔と、
前記回動板の前記貫通孔を貫通して前記装置筐体の一部に設けられたネジ孔にねじ込まれるネジと
を有する空冷機構。
（付記１０）
付記７記載の空冷機構であって、
前記支持固定機構は、
前記風向板が取り付けられた回転軸と、
前記回転軸の一端に取り付けられた回動板と、
前記回転軸の他端に設けられたストッパと、
前記回転軸の他端が面する部分に設けられた凹部と
を有し、
前記凹部に設けられた切欠部に前記ストッパが係合することで、前記回転軸が所定の回転位置で固定される空冷機構。
【符号の説明】
【００６４】
１０，３０  装置
１２，３２  筐体
１４，１４−１〜１４−９，３４  プラグインユニット
１６，１６−１〜１６−３３，３６，３６−１〜３６−４  冷却ファンユニット
１８，１８−１〜１８−４  仕切板
２０，２０−１〜２０−４，４０，４０−１〜４０−５  風向板
３２ａ  隔離壁
３２ｂ  天板
４０ａ  回動板
４０ｂ  外側軸
４０ｃ  内側軸
４０ｄ  ストッパ
４２，４２−１〜４２−８  ストッパピン
４４−１，４４−２  案内板
５０  支持部材
５０ａ  回転軸
５２−１，５２−２  板バネ
５２−１ａ，５２−２ａ  基部
５４−１，５４−２  ピン
５６−１，５６−２  コイルバネ
６０  バネ式ボタン
６２  ネジ
６４  凹部
６４ａ，６４ｂ，６４ｃ  切欠部
【図１】
2012114379.tif 000003
【図２】
2012114379.tif 000004
【図３】
2012114379.tif 000005
【図４】
2012114379.tif 000006
【図５】
2012114379.tif 000007
【図６】
2012114379.tif 000008
【図７】
2012114379.tif 000009
【図８】
2012114379.tif 000010
【図９】
2012114379.tif 000011
【図１０】
2012114379.tif 000012
【図１２】
2012114379.tif 000013
【図１４】
2012114379.tif 000014
【図１５】
2012114379.tif 000015
【図１６】
2012114379.tif 000016
【図１７】
2012114379.tif 000017
【図１８】
2012114379.tif 000018
【図１９】
2012114379.tif 000019
【図２０】
2012114379.tif 000020
【図２１】
2012114379.tif 000021
【図２２】
2012114379.tif 000022
【図２３】
2012114379.tif 000023
【図２４】
2012114379.tif 000024
【図２５】
2012114379.tif 000025
【図２６】
2012114379.tif 000026
【図２７】
2012114379.tif 000027
【図１１】
2012114379.tif 000028
【図１３】
2012114379.tif 000029